(57)【要約】体から生じる音を感知し、体の外で生じるノイズに関して、信号対雑音比を強化するためのシステム及び方法が開示される。システムは、準モノクロの空間的に干渉する光線を生じるための光源；光源から生じる参照光線を有し、体に入射してそれから反射される供給源から生じた光線を干渉するための干渉計；及び、検出器を横切る少なくとも一つの干渉縞の運動によって生じる変化を感知し、対応する電気的な信号を生成するための検出器を含む。【選択図】図１
2009512232.tif 000002
【特許請求の範囲】
【請求項１】
体から生じる音を感知し、該体の外で生じたノイズに関して信号対雑音比を強化するためのシステムであって、該システムは：準モノクロの空間的に干渉する光線を生じる光源；該体に入射し、該光源から生じる参照光線でそれから反射する該供給源から生じた光線を干渉するための干渉計；及び該検出器を横切る少なくとも一つの干渉縞の運動によって生じる変化を感知し、対応する電気的な信号を生成するための検出器を含むシステム。
【請求項２】
請求項1のシステムであって、前記光源はレーザ源であるシステム。
【請求項３】
請求項1のシステムであって、前記光源が、該システムの光学往復運動を上回るコヒーレンス長を有することにおいて特徴付けられるシステム。
【請求項４】
請求項1のシステムであって、前記検出器が25kHzと同じまたはより速い応答率を有するシステム。
【請求項５】
請求項1のシステムであって、ミラーが前記参照光線を反射するための干渉計を含み、そこにおいて、該ミラーは、前記体を離れて反射される光線の逸脱をシミュレーションする表面粗さを有するシステム。
【請求項６】
請求項1のシステムであって、前記検出器の検出領域を適合させるように単一の干渉縞のサイズを最適化するため、該検出器の前に配置されるレンズをさらに含むシステム。
【請求項７】
請求項1のシステムであって、前記干渉計が、2つの四分の一波長板及び該システムを最適化する2つの偏光子を含むシステム。
【請求項８】
請求項1のシステムであって、前記参照光線が前記体の上へ導かれ、該参照光線は該体を離れて反射されるシステム。
【請求項９】
請求項8のシステムであって、前記体を離れて反射される2つの光線間の距離は、感知される前記音のおよそ1、2の音の波長にあるシステム。
【請求項１０】
請求項1のシステムであって、ユーザの耳を通じて装着される装置において組み込まれ、該ユーザの頭蓋骨の方に前記体に入射する前記光線を誘導するように適応されるシステム。
【請求項１１】
請求項10のシステムであって、前記装置がイヤホンを含むシステム。
【請求項１２】
請求項1のシステムであって、強化された音響結合のための表面に連結される反射型パッチをさらに備えるシステム。
【請求項１３】
体から生じる音を感知し、該体の外で生じたノイズに関して信号対雑音比を強化するための方法であって、該方法は：準モノクロの空間的に干渉する光線を生じる光源からの光線の誘導；該体から反射された光の収集、及び、該光源から生じる参照光線での干渉；該検出器を横切って前記干渉縞の運動によって生じる変化を感知する光学検出器により、該干渉している光線の該干渉縞の移動の感知、及び、対応する電気的な信号の生成を含む方法。
【請求項１４】
請求項13の方法であって、前記本体は人間の体であり、前記音は人間の声である方法。
【請求項１５】
請求項13の方法であって、前記光線が該システムの光学往復運動を上回るコヒーレンス長を有することにおいて特徴付けられる方法。
【請求項１６】
請求項13の方法であって、前記参照光線は、前記体を離れて反射される前記光線の逸脱をシミュレーションする表面粗さを有するミラーを離れて反射される方法。
【請求項１７】
請求項13の方法であって、前記検出器の検出領域を適合させるため、単一の前記干渉縞のサイズを最適化するための該検出器の前での光線の成型を更に含む方法。
【請求項１８】
請求項13の方法であって、前記参照光線が前記体上へ導かれ、該体を離れて反射される方法。
【請求項１９】
請求項13の方法であって、前記体を離れて反射される2つの光線間の距離が感知されるおよそ１、２の音の波長にある方法。
【請求項２０】
請求項13の方法であって、強化された音響結合のため前記表面に連結される反射型パッチの提供を更に含む方法。
【発明の詳細な説明】
【技術分野】
【０００１】
本発明は、ノイズリダクション及びフィルタリングに関連がある。より詳しくは、それは、体から生じる音を検出し、体の外部から生じたノイズに関して信号対雑音比を強化するためのシステム及び方法に関連がある。
【背景技術】
【０００２】
携帯電話は、私的及びビジネスの領域の両方において、通信の主な手段になった。ほとんどすべての携帯電話加入者は、運転をも含む他の業務を実行する一方で、携帯電話通信を容易にするため、自動車スピーカーフォンまたはイヤホンを有する移動スピーカーフォンを使用する。現在までのところ、偶数の現状技術のスピーカーフォンは、（それらが実行するように設計されているものである）ユーザの声だけを検出及び伝達するだけでなく、（例えば、バス、車の交通ノイズ）のようなバックグラウンド・ノイズ、エンジン騒音、エアコンのノイズ、及び、時には（特にレストランまたは車で携帯電話を使用している間の）後ろでの会話の一部さえも検出及び伝達してしまう。これらのバックグラウンド・ノイズは、携帯電話通信システムにおいて増幅及び伝達される。多くの場合、これらの望まれないノイズは、話者の伝達された声がもう認識できない程度にシステムにおおいかぶさる。さらに、バックグラウンド・ノイズは伝達された情報の帯域幅の不必要な部分を占有する。インターネットの用途が携帯電話技術に組み込まれると、帯域幅は重要なり、ますます費用がかかるようになる。全てのこれらの理由のため、バックグラウンド・ノイズからどうにか遮蔽されるスピーカーフォン/イヤホン・システムを構成することができるかどうかはとても重要である。
【０００３】
骨伝導及び特に人間の頭蓋骨での骨伝導は、頭蓋骨（すなわちその人間の声）の中で生成される音波をきわめて効率的に伝達することが知られている。この現象をノイズリダクションのために利用する試みが実行された。
【０００４】
US 5,228,092（ナカムラその他）において、自動車等に設置される電話によって、電気通信のために使われる音声変換器は、開示され、その音声変換器は、以下の構成を含む：
それらが頭の頭蓋骨を通じて伝達される場合生じた音声の波の振動を検出し、それらを電気的な信号に変換するため、操作者の頭と接触する側面を有する本体；
本体のホルダ部材；
及び、操作者の頭に関する体の側面の位置が調整されることができるように、体をホルダ部材に接続する接続部材。
本体は、振動を検出するためにピエゾ電気変換器、ピエゾ電気変換器を囲む緩衝材料、及び、緩衝材料を囲み、操作者の頭と接触する側面を含むケーシングであって、そのケーシングの側面は小さい摩擦係数を有するために前もって処理されるようなケーシングを含む。提案された変換器は、音声変換器及び操作者の頭の間の好ましくない接触、または、操作者の毛髪及び音声変換器間の摩擦によって生成される不必要な振動によって誘導される出力電圧低下及びS/N比率の急激な変質の問題を解決することを意図する。
【０００５】
US 6,408,081（Boesen）は、ユーザの外耳道への挿入に適応するイヤホンを有し、そのイヤホンは骨伝導センサ及び気導センサを有している音声伝達ユニットを開示する。骨伝導センサは、音声情報の骨振動を電気信号に変換するため、外耳道の一部と接触するように適応する。気導センサは、耳道の中にあり、音声情報の空気振動を電気信号に変換する。その好ましい形状において、言語プロセッサは、ノイズにフィルタをかけ、伝達のための純粋な音声信号を選ぶため、骨伝導センサ及び気導センサから出力のサンプルをとる。音声信号の伝達は、ワイヤレス結合を通じてもよく、また、双方向通信を可能にするためにスピーカ及びレシーバを備えている可能性がある。
【０００６】
US 6,668,065（Leeその他）は、その両端で一対の切断された部分を形成するために湾曲されたプレート型のヨーク；切断された部分の中心拡張部分に適合する音声コイル；音声コイルの間で配置された矩形の平行六面体型の磁石及びプレート；及び、プレートの下部から細かく間隔を置いて配置される振動板を含む骨伝導変換器を開示する。
【０００７】
他の骨伝導装置は、US 6,728、US 6,463,157、US 6,104,816、US 5,757,934、US 5,327,506において開示される。
【０００８】
骨伝導現象を利用する新規な変換器を提供することは、本発明の目的である。
【０００９】
本発明の別の目的は、データ通信装置（特に、限定されないが携帯電話）に話している人の頭蓋骨によって伝導される音声信号を検出するため、（音響検出の必要性なしで）光学手段を使うそのような変換器を提供することである。
【００１０】
本発明の別の目的は、例えば心拍、肺において生成される音及び血流のように人間の体において生成される音声信号を検出するために光学手段を使うことである。
【００１１】
さらに、本発明の別の目的は、音響的に興奮性の面を有する体から生じるあらゆる音を検出しかつ強化し、バックグラウンド・ノイズを無視または大いに減少するために使用することができる遮蔽された通信装置を提供することである。
【発明の開示】
【発明が解決しようとする課題】
【００１２】
したがって、本発明のいくつかの好適な実施例によれば、体から生じる音を検出し、体の外で生じるノイズに関して信号対雑音比を強化するためのシステムが提供され、そのシステムは、以下の構成を含む：
【００１３】
（＊訳注２）
準モノクロの、空間的に干渉する光線を生じるための光源；
【００１４】
体に投射され、光源から生じる参照光線でそれから反射される供給源から生じた光線（以後「信号光線」と呼ぶ）を妨げるための干渉計；
【００１５】
検出器を横切る少なくとも一つの干渉フリンジの運動によって生じる変化を検出し、対応する電気的な信号を生成するための検出。
【００１６】
さらに本発明のいくつかの好適な実施例によれば、光源はレーザ源である。
【００１７】
さらに、本発明のいくつかの好適な実施例によれば、システムにおける光学の往復運動を上回るコヒーレンス長を有するように、光源は特徴づけられる。
【００１８】
さらに、本発明のいくつかの好適な実施例によれば、検出器は25kHzと同等のまたはより速い応答率を有する。
【００１９】
さらに、本発明のいくつかの好適な実施例によれば、ミラーは参照光線を反射するための干渉計において含まれ、そこにおいて、ミラーは、体を離れて反射される光線の相違をシミュレーションしている表面粗さを有する。
【００２０】
さらに、本発明のいくつかの好適な実施例によれば、システムは、検出器の検出領域に適合させるように単一の干渉フリンジのサイズを最適化するため、検出器の前にあるレンズを更に含む。
【００２１】
さらに、本発明のいくつかの好適な実施例によれば、干渉計は、システムの検出器に達している干渉信号の光学パワーを最適化するために2つの四分の一波長板及び2つの偏光子を含む。
【００２２】
さらに、本発明のいくつかの好適な実施例によれば、参照光線はまた、体（ミラーの代わりに）上へ導かれ、体を離れて反射され、それから信号光線を妨げ、差動検出方式を容易にする。
【００２３】
さらに、本発明のいくつかの好適な実施例によれば、体を離れて反射される2つの光線間の距離は、検出される音のおよそ１、２の波長である。
【００２４】
さらに、本発明のいくつかの好適な実施例によれば、システムは、ユーザの耳を通じて装着される装置において組み込まれ、ユーザの頭蓋骨の方へ体上に入射した光線を誘導するように適応される。
【００２５】
さらに、本発明のいくつかの好適な実施例によれば、装置はイヤホンを含む。
【００２６】
さらに、本発明のいくつかの好適な実施例によれば、システムは強化された音響結合のために表面に連結される反射型パッチをさらに備える。
【００２７】
さらに、本発明のいくつかの好適な実施例によれば、体から生じている音を検出し、体の外で生じたノイズに関して信号対雑音比を強化するための方法が提供され、その方法は、以下の構成を含む：
【００２８】
準モノクロの空間的に干渉する光線を体の上に生成する光源からの光の誘導；
【００２９】
体から反射された光の収集、及び、同じく光源から生じた参照光線でのそれの干渉；
【００３０】
検出器を横切って少なくとも一つの干渉フリンジの運動によって生じる変化を検出する光学検出器による干渉光線の移動する干渉縞の検出；及び、対応している電気的な信号の生成。
【００３１】
さらに、本発明のいくつかの好適な実施例によれば、体は人間の体であり、音は人間の声である。
【００３２】
さらに、本発明のいくつかの好適な実施例によれば、光線は、システムの光学往復運動を上回るコヒーレンス長を有するように特徴づけられる。
【００３３】
さらに、本発明のいくつかの好適な実施例によれば、参照光線は、体を離れて反射される光線の相違をシミュレーションしている表面粗さを有するミラーを離れて反射される。
【００３４】
さらに、本発明のいくつかの好適な実施例によれば、方法は、検出器の検出領域に適合させるように単一の干渉縞のサイズを最適化するため、検出器の前での光線形成を更に含む。
【００３５】
さらに、本発明のいくつかの好適な実施例によれば、参照光線は、体の上へ導かれ、体を離れて反射される。
【００３６】
さらに、本発明のいくつかの好適な実施例によれば、体を離れて反射される2つの光線間の距離は、検出される音のおよそ１、２の音の波長にある。
【００３７】
さらに、本発明のいくつかの好適な実施例によれば、方法は、強化された音響結合のため、表面に連結される反射型パッチの提供を更に含む。
【発明を実施するための最良の形態】
【００３８】
本発明の主な態様は、ユーザの頭蓋骨において内部で広がる音波を活用することによる天然の遮蔽に基づいてバックグラウンド・ノイズを遮蔽することである。音の伝導が高密度媒体において大いに改善されることは、きわめて周知である（例えば、音の伝導は空気においてよりも水において良好である）。携帯電話ユーザの場合、音波は、のど及び音コードにおいて生成される。（音コードの振動を空気振動に移動することにより）空気によって伝達されることは別として、この音波（以下「信号」と呼ぶ）もまた、頭蓋骨及び軟骨を通じて、音の伝導を経て伝達され、ユーザの内耳によって偶発的に感知される。周知のように、人は、バックグラウンド・ノイズ及び他の話し手を聞くよりも、常に自分自身の声が良く聞こえる（バックグラウンド・ノイズの振幅は、「信号」の振幅よりも大きい桁位置であるような極端な状況を除く）。これは頭蓋骨それ自体が、内部に伝導された音波を外側のバックグラウンド・ノイズから自然に遮蔽するきわめて良好な絶縁装置として役立つことを意味する。本発明の提案された装置及び方法は、頭蓋骨の骨（または軟骨）の音の振動から直接信号を集める検出を実行することにより、この事実に依存する。音の信号が内部で生成され、骨及び軟骨を通じた音の伝導によって頭蓋骨の外側の部分に達するので、その振幅は、それぞれの空気振動がユーザの頭に達する場合に低い振幅音波を励起する外側の（バックグラウンド）ノイズの振幅より非常に高い。したがって、頭蓋骨において伝導される音波をモニタすることによって信号の直接の検出を実行する場合、外側のノイズは、もしあれば感知された信号にはほとんど関与しないことがわかる。
【００３９】
きわめて口に近い空気に運ばれる音波を感知する方法を使用する場合、信号の優先的な利点が減弱することがわかるので、頭蓋骨からの直接の検出は望ましい。
【００４０】
本発明の主要な特徴は、したがって、以下の構成である：
【００４１】
外側のノイズ上の内部で励起した音波を好む頭蓋骨の骨及び軟骨での音の伝導；
【００４２】
頭蓋骨において広がっている音波の直接の検出。
【００４３】
音波の検出が直接であることは、重要である：すなわち信号は、ユーザの頭の回りの空気振動の感知によってではなく、頭蓋骨において広がる音波から直接モニタ及び感知されなければならない。直接の検出のため、本発明の発明者は、頭蓋骨の骨または軟骨を離れてすぐの音波を感知するため、高度でそのうえ便利な方法を導入する。提案された方法は、当面、それを実行する最高の方法であると思われるレーザ-ドップラー検出に基づく。そのアイデアは、骨領域を照明するためにきわめて低いパワー・レーザ光線を使用することである。照明された箇所はいくつかのレーザ光を反射し、すべての反射光は本来のレーザ周波数よりわずかに異なる周波数のようである。周波数の変化は、2つの波が照明された箇所で一致する時に音波が光波で共に拡がる（または反射する）場合、レーザ周波数に音波周波数を加えた（または減じた）結果であるドップラー変化である。
【００４４】
骨領域は好ましくは、人間の場合には、頭蓋骨のあらゆる領域であり、特にそれが空気の空洞の直接的に付近にない限り（このような空洞が信号をゆがめる可能性がある定在波を引き起こすので）、耳の後ろの領域、または耳内部の軟骨、または頭蓋骨の外側の部分上のあらゆる他の点も役に立つ。
【００４５】
本発明の実施例で使用されるレーザは、好ましくは電話の送受話器、携帯電話またはヘッドセット（図3参照）に属する遮蔽された通信装置に含まれる光学システム（システムにおいて移動する光学経路）の光学往復運動を好ましくは上回るコヒーレンス長を有する単一のモード半導体レーザである、または、あらゆる他の独立した供給源である。レーザ光は、その端で小さいコリメータレンズを備えている光学ファイバを通じて、好ましくは頭上の照明された箇所に達する。頭上の照明された箇所から反射される音が調整されたレーザ光は、それから同じレンズによって収集され、参照光波で干渉するようにされ、干渉縞の上昇を提供する。2つの光波はここでわずかに異なる周波数であるので、本来の信号音波の速度と順番に比例した光波間の周波数差異と比例したそれらの速度で干渉縞は移動する。小さい光センサは、単一の干渉箇所（小斑点）をカバーするために配置される可能性がある。明るい干渉縞がそれを横切って移動する場合、音声信号と比例した電流振幅及び音声信号の周波数と同一の電流周波数を有して、検出器は電流を示す。いくつかの電子信号処理は、システムの可能な歪み及び誤差のために補うために必要とされるが、あらゆる主要な及び高度な信号処理課題の中で、必要性は予見されない。感知された信号の圧縮は（それは純粋に皆無かそれに近いバックグラウンド・ノイズの確率論的な情報量である）任意である。このようなデータ圧縮方式は、特に特定のユーザ（いわゆる携帯電話のオーナー）の声に調整される場合、得られる帯域幅の相当な部分を空にし、それをインターネット通信または他の補完的な使用に与える。さらに、本発明のいくつかの好適な実施例によれば、これは言語伝達及び検出で同時にインターネット・サービスを容易にする。最後に、本発明の方法および装置は、ユーザの頭の近くで電子装置またはワイヤを使用しないことが強調される。すべての検出工程は、予想されるパワー・レベル（マイクロワット）でのレーザ光によって実行され、予想されるレーザ波長は全く無害である。それは、頭の近くで電気マイクロ波信号を伝達または受容するリスクを含まないユーザに安全なシステムである。
【００４６】
提案されたシステムの新しい特徴および効果は、以下の構成を含む：バックグラウンド・ノイズのないユーザの音声の伝達；スピーカの音声にきわめて感度が高いが、他のバックグラウンド・ノイズに反応しない検知；及び、電子機器のない（ワイヤ、マイクロホンのない）構成要素。さらにイヤホンでさえ、耳においてのみ光学信号を音声信号に変換する、すなわち、ユーザの頭付近に有害な二次的なアンテナになるワイヤがない。これは、携帯電話技術を完全に無害にする。
【００４７】
体の外で生成されたノイズが体へのきわめて弱い音響結合を有するので、本発明はノイズまたは体の外で生成された音のＳＮ比の強化を容易にし、したがって、それは、大いに減衰し、反射ビームに対する効果は大いに減弱する。
【００４８】
データ圧縮方式と共に、バックグラウンド・ノイズの除去は通信帯域幅の相当な部分を空にして、他の作業のために利用できるようにさせる。
【００４９】
本発明の好ましい実施例の概略図である図1を、ここで、参照する。干渉計は、信号及び参照光線（ビームスプリッタによって分割された）を担持するユーザの頭から反射されるレーザ光線間の干渉を作成するように使用される。光源（好ましくはレーザ光線供給源１０）は、レーザ光線を生成し、ビームスプリッタ12上へそれを照射する。ビームスプリッタは、光線を2つの直角光線に分割する：光線の一つのアームは、ミラー上へ導かれ、そのミラーから反射され、参照光線として役立つようにフォト検出器18に達し、一方で、光線の他のアームは、ユーザの頭16に交差し、それから反射され、検出器の上にビームスプリッタ12によってリダイレクトされる。元々、両方の光線は、同じ周波数ωである。音波によって調整される反射された光線は、周波数ω+Ωであり、ここで、Ωは音波周波数である。反射された光線は該参照光線と干渉し、感知された音響信号Ωを得るために効果的に両方の信号を減ずる。光学信号に感度が高い検出器の感知領域は、そのフリンジが検出器を横切って移動すると効果的に変化を検知するように、好ましくは単一のフリンジ全体にまたがるように選択される。感知された信号は、検出器に電気的な電流信号を生成させるように検出器を横切って移動し、その振幅が音声信号と比例し、その周波数は音声信号の周波数と同一である小斑点の形で検出器によってピックアップされる。
【００５０】
図2は、他の本発明の好ましい実施例を図示する。基本的な方式は、干渉計の各々のアームにある2つの遅延プレート22（四分の一波長板）が設置され、偏光子24が検出器の直前に配置される図1に記載される方式に依存する。これは、検出器に達する光源から発されるその最大限の光学パワーを保証することを提案され、反射された光線及び参照光線の平均輝度は、検出器の平面と本質的に同等である。
【００５１】
レーザ源は、線状に偏光された光線（この例では、偏光の配向は45°である）を生成している。ビームスプリッタは、偏光光線スプリッタによって置き換えられる。この方式において、最大電力は、出力干渉平面（レーザへ戻る反射はない）に供給され、したがって、光学パワーの消費は最適化される。任意のレンズ26は、（干渉パターンの一つの縞だけが検出器に達するのを保証するための任意のスリットまたは開口28で）検出器の上に出力ビームを合焦するのに使用される。話者によって生成される音声信号のため、検出器は、好ましくは25kHzと同等またはより速い応答率を有する。検出器の効果的な検出領域は、一つの（または2、3の）干渉期間（縞）に適用されなければならない。検出器は、予想された音声周波として最も高い率が同じ周波数である干渉縞の運動に反応する。検出器は、光子束をその光子束の時間的変化を模倣する電気的な電流に変換する。干渉縞は、感知される音の周波数で検出器を横切って移動する。
【００５２】
ミラー14は好ましくはユーザの頭皮と同じまたは類似した反射品質を有する表面を含む可能性があり、これは、参照及び音声信号キャリア光線の両方の同じまたは類似した波先特性を保証するために好いものである。体から離れて反射された光線の逸脱をシミュレーションするため、表面粗さが同じまたはきわめて類似していることが推奨される。同じまたは類似した粗さの（同じ尺度）彩色された表面、ざらつきは考慮される可能性がある。これは、干渉計のパフォーマンスを最適化するために提案される。
【００５３】
図3は、ヘッドセット32における本発明の検出器装置の取込みを図示する（一般的に、イヤホン34を有しブルートゥース技術を使用しているヘッドセット）。検出ユニットは、レーザ光線がユーザの頭上へ導かれる窓30を有する。図4は、他の本発明の好ましい実施例による遮蔽された通信変換器を図示し、ユーザの頭に信号光線及び参照光線の両方を導く。光学方式は図2に関して記載されるものに類似している、しかしながら、偏光プリズム36は、偏光ビームスプリッタ12を置き換える。これは、表皮の同じまたは類似した反射特性と関連している同じまたは近い波先特性の2つの反射された光線を得るように、同じ表皮表面上へ音声信号キャリア光線及び参照光線の両方を照射するために使用される。体を離れて反射される2つの光線間の距離は、差動検出を達成するように、感知される音のおよそ１、２の波長であることが推奨される。本発明のいくつかの好適な実施例において、反射型パッチは、強化された音響結合のために、ユーザの表皮上での位置決めのために提供される可能性がある。
【００５４】
本願明細書において検討され、記載される実施例が人間による携帯電話通信に関連がある一方、本発明は非常により幅広い範囲を有し、実際には、外側のノイズから得られた信号を遮蔽する一方内部の音によって励起される可能性がある外側の表面を有するあらゆる体から生じている音を感知し、強化するのに実行される可能性があることに留意するべきである。本発明のシステム及び方法は、様々な用途及び作業において使われる可能性がある。例えば、心拍を感知し、モニタするのに使用される可能性がある。それは、アスリートによって使われるペースメーカにおいて組み込まれる可能性がある。本発明のシステム及び方法は、音声署名を感知し、承認するために音声認識に使われる可能性がある。それはまた、水中の通信のために使われる可能性がある。目下従来のマイクロホンは、従来のマイクロホンの薄膜が水に影響されやすいので水中で使われる可能性はない。本発明のシステム及び方法はまた、ノイズのリモート検出のために使われる可能性がある。それは、（例えば炭鉱、空港、タンク及び他の車両のような）確率的にノイズを有するノイズが多い環境において付加価値及び特別なアピールを有する。
【００５５】
この明細書の実施例及び添付された図の説明は、その範囲を制限せずに、本発明のより良好な理解の用途にのみ役に立つことが明白でなければならない。
【００５６】
本願明細書を読んだ後、当業者は、本発明によってなお適用される添付された図及び上記の記載された実施例を調整または修正することができることもまた、明白でなければならない。
【図面の簡単な説明】
【００５７】
よりよく本発明を理解し、その実用的な用途を認識するために、以下の図が提供され、以下で参照される。それらの図が例示するもののみとして提供され、本発明の範囲を限定する意図を有しない点に留意する必要がある。類似した構成要素は、類似した参照番号により示される。
【００５８】
【図１】本発明の好ましい実施例により遮蔽された通信変換器を図示する。
【００５９】
【図２】他の本発明の好ましい実施例により遮蔽された通信変換器を図示する。
【００６０】
【図３】本発明の好ましい実施例により遮蔽された通信変換器を組み込んでいる例示的なヘッドセットの配置を図示する。
【００６１】
【図４】ユーザの頭の上に情報及び参照光線の両方を誘導する他の本発明の好ましい実施例により遮蔽された通信変換器を図示する。
【図１】
2009512232.tif 000003
【図２】
2009512232.tif 000004
【図３】
2009512232.tif 000005
【図４】
2009512232.tif 000006